(57)【要約】      （修正有）【課題】筆記具等を収納できる収納部と名札等を収納できる表示部とを備え、筆記具等を収納した場合でも、表示シートの記載事項が視認でき、かつ、無用のスペースが生じないポケット挿入可能な収納部付き表示具を提供する。【解決手段】衣服のポケット内に挿入する収納部１０と衣服のポケット上端からポケット外に垂下する表示部５０とからなり、収納部１０は、収納部後面シート２０と収納部前面シート３０とを接着して形成した扁平な袋状をなすものであって、上部が上方に開口する開口部４０とし、開口部以外の収納部後面シートと収納部前面シートとの周囲を接着して構成する。表示部５０は、その上端が収納部前面シートの上端３０ｄに接着され、透視可能な表示部前面シート６０と表示部後面シート７０とを接着して形成した扁平な袋状をなすものであって、上下複数段に区画した細幅表示部５１と太幅表示部５２とを、細幅表示部が最上段に位置するように配置し、各表示部に表示シートＣ１，Ｃ２を差し込むための差込開口部８０ａ，８０ｂを備えてなる。【選択図】図３
0003156867.tif 000002
【実用新案登録請求の範囲】
【請求項１】
衣服のポケット内に挿入する収納部と衣服のポケット上端からポケット外に垂下する表示部とからなり、
収納部は、収納部後面シートと収納部前面シートとを接着して形成した扁平な袋状をなすものであって、上部が上方に開口する開口部とし、開口部以外の収納部後面シートと収納部前面シートとの周囲を接着して構成し、
表示部は、その上端が収納部前面シートの上端に接着され、透視可能な表示部前面シートと表示部後面シートとを接着して形成した扁平な袋状をなすものであって、上下複数段に区画した細幅表示部と太幅表示部とを、細幅表示部が最上段に位置するように配置し、各表示部に表示シートを差し込むための差込開口部を備えてなる
ことを特徴とするポケット挿入可能な収納部付き表示具。
【請求項２】
収納部を構成する収納部後面シートが、収納部前面シートと同一形状の収納部後面シート本体とその上部に延長形成した抜き出し部とからなり、収納部を衣服のポケット内に挿入したときに、抜き出し部が衣服のポケットの上方へ露出するように構成したことを特徴とする請求項１に記載のポケット挿入可能な収納部付き表示具。
【請求項３】
表示部を構成する細幅表示部と太幅表示部とのいずれか一方又は双方の差込開口部が、表示シートを横方向から差込可能に開口してなることを特徴とする請求項１又は２に記載のポケット挿入可能な収納部付き表示具。
【請求項４】
細幅表示部と太幅表示部とのいずれか一方又は双方の表示部後面シートに表示シート操作用の穴を形成し、表示シートの差し込み、取り出し又は位置調整の操作を可能にしたことを特徴とする請求項１〜３のいずれか１項に記載のポケット挿入可能な収納部付き表示具。
【考案の詳細な説明】
【技術分野】
【０００１】
本考案は、通常は衣服のポケットに直接収納される筆記具等の物品を収納することができる収納部と、名札などの表示シートを差し込むことができる表示部とを備え、収納部がポケット内に挿入可能であり、表示部がポケット外に垂下するポケット挿入可能な収納部付きの表示具（以下、単に「収納部付き表示具」という。）に関する。
【背景技術】
【０００２】
従来より、下記特許文献１〜５に示されるように、衣服のポケットに挿入可能な筆記具等の小物入れに名札を取り付ける技術が知られている。
【０００３】
特許文献１に示されるものは、ポケットに入る大きさの袋形状の小物入れと、この小物入れ前方に懸架された袋形状の名札入れとからなる名札入れ付携帯小物入れである。当該名札入れ付携帯小物入れは、ポケットに差し込むだけで小物入れを携帯でき、また、名札入れに名札や名刺を入れることができ、小物入れの上部に会社名、学校名、イベント名を印刷することができ、また、着色すれば部署や学年等のグループを色彩により識別できるようになっている。
【０００４】
特許文献２に示されるものは、衣服の胸ポケットに挿入可能な大きさの収納ケースと、当該収納ケースにおける前胴の上端と連続して、衣服の胸ポケットの開口縁を乗り越えて衣服の胸ポケットの外側に垂れ下がる舌状片とを具えて、その舌状片に透明袋部を設けた名札である。当該名札は、収納ケースの内部にはペン、ハサミ、ナイフ等を収納でき、透明袋部にＩＤカードやネーム等の表示シートを挿入して目視可能に保持できるようになっている。
【０００５】
特許文献３に示されるものは、被服の胸ポケットに入る大きさの略直方体形状に形成され、文具を入れるための開口部を有するケース本体と、ケース本体の前面の上端縁から延在し、上端縁を境界線として折り曲げ自在に形成された舌片とを有する文具ケースである。当該文具ケースは、ケース本体に複数の長尺棒状文具を並べて収納でき、舌片とケース本体の前面との間で胸ポケットの上端を挟み込むことができるようになっている。さらに当該文具ケースには、名前を印字したカードや名刺などの名札の収納が可能なカードケースが着脱可能に設けることができ、このカードケースは，上端に名札の出し入れが可能な開口部を有し、上端の近くに形成された左右一対の折り曲げ片を文具ケースの舌片に形成された一対のスリットに挿入することでカードケースを文具ケースに対して着脱可能としたものであり、このカードケースに名札を入れ，舌片に装着して文具ケースを胸ポケットに入れると、胸のあたりに名札が位置するようにしたものである。
【０００６】
特許文献４に示されるものは、白衣、ワイシャツ等の衣服の胸ポケット内に取り出し自在に挿入した、上部を開口せる扁平収納体と、該収納体の前方開口縁から延設し上記胸ポケットの前面側に垂下した垂下片とを備えたネームプレート、ボールペン等の装着具である。当該装着具の扁平収納体にはボールペンを挿入することができ、該垂下片の適所にはネームプレートのピンが挿通するよう横方向に所定の間隔を保って一対の小孔を有しており、ネームプレートの装着ができるようになっている。
【０００７】
特許文献５に示されるものは、衣服の胸ポケット内に嵌入する筆記具等収納ケース部と、その筆記具等収納ケース部の上端に衣服の胸ポケットの上方へ突出するように一体的に連設した名札用紙収納ポケット部とからなる名札である。前記筆記具等収納ケース部は、前面シートと後面シートとを重ね合わせて、両側の横側辺部と、下辺部とを一体的に溶着することによって形成され、上辺部に開口を有するポケット構造となっている。この筆記具等収納ケース部は、衣服の胸ポケットと形状及び大きさが略同一で、衣服の胸ポケットに嵌入した状態では動きが規制されて、みだりに遊動できない状態となる。筆記具等収納ケース部の前面シートの上端の外面側には舌状体を垂れ下がる状態に一体的に取付けている。この舌状体は、筆記具等収納ケース部を衣服の胸ポケットに嵌入した状態で、衣服の胸ポケットの外側に露出させる。すなわち、舌状体は衣服の胸ポケットの開口縁部をカバーするものであり、又、前面シートと共に衣服の胸ポケットの生地を挟んで、筆記具等収納ケース部を衣服の胸ポケットに対し固定させるためのものである。筆記具等収納ケース部には、上端開口から筆記具等を収容することができる。そのとき、筆記具等のクリップは、舌状体でカバーされている衣服の胸ポケットの開口縁部を挟み付ける。従って、衣服の胸ポケットの生地が筆記具のクリップ等によって傷むことがない。筆記具等収納ケース部を構成する後面シートは、前面シートよりも長くて、その上端部は前面シートより上方へ突出している。そして、この後面シートの上端部の前面に透明シートを重ね合せて、その周縁部を後面シートに対し一体的に溶着することによって、横に長い名札用紙収納ポケット部を設けている。この名札用紙収納ポケット部は、その後面シートの一方の側端部に切り込みを設けて、その切り込みを開くことにより、名札用紙収納ポケット部に対する名札用紙の出し入れを可能としている。
【先行技術文献】
【特許文献】
【０００８】
【特許文献１】特開平８−３３６号公報
【特許文献２】実用新案登録第３０４６０４９号公報
【特許文献３】特許第４１３６８９５号公報
【特許文献４】実開昭５５−４９９２１号公報
【特許文献５】実開平６−８７９８１号公報
【考案の概要】
【考案が解決しようとする課題】
【０００９】
しかし、特許文献１に示される名札入れ付携帯小物入れは、名札入れに名札や名刺を入れて、小物入れにクリップ付きペンを収納すると、名札入れ内の名札や名刺の上部がペンのクリップによって少なくとも部分的に隠れてしまうため、名札や名刺に記載されている事項が視認しにくいという欠点がある。そこで、上記の欠点を解消するために、名札入れの深さを名札や名刺の高さよりクリップの長さ分だけ深くして、名札や名刺を名札入れに深く沈ませた場合には、名札入れに無用のスペースが生じ、かつ、余分の材料が必要となる欠点がある。
【００１０】
特許文献２に示される名札は、透明袋部にネーム等表示シートを挿入し、ケースの内部にクリップ付きペンを収納すると、透明袋部内のネーム等表示シートの上部がペンのクリップによって少なくとも部分的に隠れてしまうため、ネーム等表示シートに記載されている事項が視認しにくいという欠点がある。
【００１１】
特許文献３に示される文具ケースは、当該文具ケースのみでは名札の機能を有するものではなく、名札として機能させる場合には名札を収納するカードケースが別途必要となり、不便である。
【００１２】
特許文献４に示されるネームプレート、ボールペン等の装着具は、当該装着具のみでは名札の機能を有するものではなく、名札として機能させる場合には名札を収納するネームプレートが別途必要となり、不便である。
【００１３】
特許文献５に示される名札は、筆記具等収納ケース部に筆記具を収納した状態において、筆記具の上端部は、通常はポケットから上方へ突出するため、名札用紙収納ポケット部は筆記具の上端部により少なくとも部分的に隠されてしまうこととなり、名札用紙に記載されている事項が視認しにくいという欠点がある。
【００１４】
そこで、本考案者は、鋭意研究を重ね、筆記具等の物品を収納できる収納部と名札等の表示シートを収納できる表示部とを備え、筆記具等の物品を収納した場合でも、表示シートの記載事項が視認でき、かつ、無用のスペースが生じないポケット挿入可能な収納部付き表示具を考案した。
【課題を解決するための手段】
【００１５】
本考案に係る収納部付き表示具は、衣服のポケット内に挿入する収納部と衣服のポケット上端からポケット外に垂下する表示部とからなり、収納部は、収納部後面シートと収納部前面シートとを接着して形成した扁平な袋状をなすものであって、上部が上方に開口する開口部とし、開口部以外の収納部後面シートと収納部前面シートとの周囲を接着して構成し、表示部は、その上端が収納部前面シートの上端に接着され、透視可能な表示部前面シートと表示部後面シートとを接着して形成した扁平な袋状をなすものであって、上下複数段に区画した細幅表示部と太幅表示部とを、細幅表示部が最上段に位置するように配置し、各表示部に表示シートを差し込むための差込開口部を備えてなることを特徴とするものである。
【００１６】
また、上記の構成に加え、収納部を構成する収納部後面シートが、収納部前面シートと同一形状の収納部後面シート本体とその上部に延長形成した抜き出し部とからなり、収納部を衣服のポケット内に挿入したときに、抜き出し部が衣服のポケットの上方へ露出するように構成してもよい。
【００１７】
さらに、上記の構成に加え、表示部を構成する細幅表示部と太幅表示部とのいずれか一方又は双方の差込開口部が、表示シートを横方向から差込可能に開口してなるようにしてもよい。
【００１８】
さらにまた、上記の構成に加え、細幅表示部と太幅表示部とのいずれか一方又は双方の表示部後面シートに表示シート操作用の穴を形成し、表示シートの差し込み、取り出し又は位置調整の操作を容易にした構成としてもよい。
【考案の効果】
【００１９】
本考案に係る収納部付き表示具は、上記のように構成したことにより、収納部に筆記具等の物品が収納でき、表示部における太幅表示部にＩＤカード、名札又は名刺等の太幅の表示シートを収納でき、表示部における区画された最上段の細幅表示部には細幅の表示シートとして、例えば会社の場合には部署別に色分けした色紙を、学校の場合にはクラス別に色分けした色紙を収納することによりグループの識別表示とすることができる。このように最上段の細幅表示部に色紙を収納すれば、色紙がペンのクリップによって部分的に隠れてしまっても視認を妨げることにはならず、したがって、無用のスペースにはならない。
【００２０】
また、収納部後面シートが抜き出し部を備える場合には、衣服のポケットから収納部付き表示具が容易に引き抜くことができ、また、収納部後面シートに対して収納部前面シートの上縁により段差が生じるので、この段差により収納部後面シートと収納部前面シートとの間の開口部が開けやすくなり、収納部に筆記具等の物品を収納しやすくなる利点がある。
【００２１】
さらに、表示部における差込開口部を、表示シートを横方向から差込可能に開口した場合は、表示部の裏面側の上方から表示シートを差し込むように構成した場合に比べて表示シートが差し込みやすくなり、表示部の前面側の上方から表示シートを差し込むように構成した場合に比べて表示部内に塵や埃が入り込むのを防ぐ利点がある。
【００２２】
さらにまた、表示部後面シートに表示シート操作用の穴を形成した場合には、表示シートの表示部への差し込み、取り出し又は表示部内での位置調整に便利である。
【図面の簡単な説明】
【００２３】
【図１】本考案の実施例であって、収納部付き表示具の正面図である。
【図２】図１の中央縦断面図である。
【図３】本考案の実施例であって、収納部付き表示具における表示部に表示シートを差し込み、収納部に筆記具を収納する状態を示す斜視図である。
【図４】本考案の実施例であって、収納部付き表示具における表示部に表示シートを差し込み、収納部に筆記具を収納した状態を示す正面図である。
【図５】図４の中央縦断面図である。
【図６】本考案の実施例であって、収納部付き表示具をポケットに挿入して使用した状態を示す概略斜視図である。
【考案を実施するための形態】
【００２４】
以下に本考案の好適な実施例を図１〜図６に基いて詳細に説明する。
【実施例】
【００２５】
各図において、Ａは衣服のポケットＢに挿入可能な収納部付き表示具を示し、衣服のポケットＢに挿入される部分である収納部１０と衣服のポケットＢの外に垂下する表示部５０とから構成される。
【００２６】
収納部１０は、収納部後面シート２０と収納部前面シート３０とから構成されてなる扁平な袋状をなすものである。すなわち、収納部１０を構成する収納部後面シート２０は、収納部前面シート３０と同一形状の収納部後面シート本体２１とその上部に延長形成した抜き出し部２２とからなり、収納部後面シート本体２１及び収納部前面シート３０の左側縁２０ａ，３０ａ、右側縁２０ｂ，３０ｂ及び底縁２０ｃ，３０ｃが熱融着により接着され、収納部前面シート３０の上縁３０ｄは収納部後面シート２０に対して非接着の上方に開口する開口部４０を形成するものである。そして、収納部１０を衣服のポケットＢ内に挿入したときに、抜き出し部２２が衣服のポケットＢの上方へ露出するように構成されている。
【００２７】
このように収納部付き表示具Ａの収納部１０が構成されていることにより、収納部１０に筆記具等の物品（本実施例においてはクリップ付きボールペンを例示する）Ｄが収納できる。また、抜き出し部２２により衣服のポケットＢに挿入した収納部付き表示具Ａを容易に引き抜くことができる。また、収納部後面シート２０に対して収納部前面シート３０の上縁３０ｄが段違いとなるので、収納部後面シート２０と収納部前面シート３０との間の開口部４０が開けやすくなり、収納部１０に筆記具等の物品を収納しやすくなる利点がある。
【００２８】
表示部５０は、その上端が収納部前面シート３０の上縁３０ｄに熱融着により接着されることにより収納部１０と一体化したものである。該表示部５０は、透視可能な表示部前面シート６０と表示部後面シート７０とを接着して形成した扁平な袋状をなすものである。なお、表示部後面シート７０は透視可能であっても透視不可能であってもよい。すなわち、該表示部５０は、表示部前面シート６０と表示部後面シート７０との上縁６０ａ，７０ａ、一方の側縁（本実施例では左側縁）６０ｂ，７０ｂ及び底縁６０ｃ，７０ｃがそれぞれ熱融着により接着され、他方の側縁（本実施例では右側縁）６０ｄ，７０ｄは非接着により横方向に開口する差込開口部８０ａ，８０ｂを有するものである。そして、該表示部５０は、上下２段に区画した細幅表示部５１と太幅表示部５２とから構成される。すなわち、表示部５０の上縁６０ａ，７０ａから約３５ｍｍ程度の若干下がった位置において、表示部前面シート６０と表示部後面シート７０とを横方向一直線状の溶着線５３となって表れる箇所を溶着することにより上段に細幅表示部５１が区画形成され、差込開口部８０ａから横方向に幅約３０ｍｍ以内の細幅表示シートＣ１の出し入れができる。溶着線５３より下方となる下段は約７５ｍｍ程度の太幅表示部５２が区画形成され、差込開口部８０ｂから横方向に名刺等の太幅表示シートＣ２の出し入れができる。なお、本実施例においては、上下２段に区画された細幅表示部５１と太幅表示部５２とからなる表示部５０を例示したが、細幅表示部の１つが最上段に位置するように配置するのであれば３段以上に区画されていてもよい。また、細幅表示部５１及び太幅表示部の幅は上記した寸法に限られるものではなく、適宜設計変更可能である。前記太幅表示部５２を構成する表示部後面シート７０には、長穴よりなる表示シート操作用の穴７１が形成されており、また、差込開口部８０ｂ形成する表示部後面シート７０の右側縁７０ｄには、その端縁中央に半円状に切り欠いたつまみ出し用切り欠き部７２が形成されている。また、細幅表示部５１にも同様に表示シート操作用の穴７３及びつまみ出し用切り欠き部７４が形成されている。
【００２９】
このように収納部付き表示具Ａの表示部５０が構成されていることにより、表示部５０における太幅表示部５２にＩＤカード、名札又は名刺等の太幅表示シートＣ２を収納でき、表示部５０における細幅表示部５１には、細幅表示シートＣ１として、例えば会社の場合には部署別に色分けした色紙を、学校の場合にはクラス別に色分けした色紙を収納して識別表示として使用することができる。このように最上段の細幅表示部５１に色紙を収納すれば、色紙がボールペンＤのクリップＤ１によって部分的に隠れてしまっても識別の妨げにはならず、したがって前述した識別表示としての機能を果たすので無用のスペースとはならない。さらに、表示部５０における細幅表示部５１及び太幅表示部５２において表示シートＣ１，Ｃ２を横方向から差込可能に開口しているので、表示シートＣ１，Ｃ２が差し込みやすくなり、表示部５０における細幅表示部５１及び太幅表示部５２に塵や埃が入り込むのを防ぐ利点がある。さらにまた、表示部後面シート７０に表示シート操作用の穴７１，７３を形成しているので、表示シートＣ１，Ｃ２の表示部５０における細幅表示部５１及び太幅表示部５２への差し込み、取り出し又は表示部内での位置調整に便利である。また、つまみ出し用切り欠き部７２，７４も表示シートＣ１，Ｃ２の取り出しに便利である。
【００３０】
上記の実施例は、これに限定されるものではなく、実用新案登録請求の範囲に記載した広範囲な実施形態を包含するものである。
【符号の説明】
【００３１】
Ａ・・・収納部付き表示具                  Ｂ・・・衣服のポケット
Ｃ１・・細幅表示シート                    Ｃ２・・太幅表示シート
Ｄ・・・筆記具（クリップ付きボールペン）  Ｄ１・・ボールペンのクリップ
１０・・収納部
２０・・収納部後面シート                  ２０ａ・収納部後面シート本体の左側縁
２０ｂ・収納部後面シート本体の右側縁      ２０ｃ・収納部後面シート本体の底縁
２１・・収納部後面シート本体              ２２・・抜き出し部
３０・・収納部前面シート                  ３０ａ・収納部前面シートの左側縁
３０ｂ・収納部前面シートの右側縁          ３０ｃ・収納部前面シートの底縁
３０ｄ・収納部前面シートの上縁
４０・・開口部                            ５０・・表示部
５１・・細幅表示部                        ５２・・太幅表示部
５３・・溶着線
６０・・透視可能な表示部前面シート        ６０ａ・表示部前面シートの上縁
６０ｂ・表示部前面シートの左側縁          ６０ｃ・表示部前面シートの底縁
６０ｄ・表示部前面シートの右側縁
７０・・表示部後面シート                  ７０ａ・表示部後面シートの上縁
７０ｂ・表示部後面シートの左側縁          ７０ｃ・表示部後面シートの底縁
７０ｄ・表示部後面シートの右側縁
７１・・表示シート操作用の穴              ７２・・つまみ出し用切り欠き部
７３・・表示シート操作用の穴              ７４・・つまみ出し用切り欠き部
８０ａ・差込開口部                        ８０ｂ・差込開口部
【図１】
0003156867.tif 000003
【図２】
0003156867.tif 000004
【図３】
0003156867.tif 000005
【図４】
0003156867.tif 000006
【図５】
0003156867.tif 000007
【図６】
0003156867.tif 000008